(57)【特許請求の範囲】
【請求項１】
ケーシング(１)の内部に、モータ(41)の回転軸に偏心荷重(42)を取り付けて構成される振動発生器(４)を配備して、該振動発生器(４)の動作によって着信を報知する機能を有する携帯電話機において、振動発生器(４)の偏心荷重(42)には、芳香部材(６)が着脱可能に取り付けられ、ケーシング(１)には、芳香部材(６)を露出させるための窓(13)が開設され、該窓(13)には、１或いは複数の小孔(51)を開設した蓋(５)が着脱可能に取り付けられていることを特徴とする携帯電話機。
【請求項２】
芳香部材(６)には、振動発生器(４)の偏心荷重(42)が嵌入する凹部(61)が形成されている請求項１に記載の携帯電話機。
【請求項３】
芳香部材(６)は、振動発生器(４)の回転軸を中心として半径が周方向に変化する断面形状に形成されている請求項１又は請求項２に記載の携帯電話機。
【発明の詳細な説明】
【０００１】
【発明の属する技術分野】
本発明は、振動によって着信を報知する機能を有する携帯電話機に関するものである。
【０００２】
【従来の技術】
従来、芳香拡散源を有する携帯電話機が提案されており(登録実用新案第3061389号、実開平5-76153号等)。この種の携帯電話機によれば、快い香りを楽しみながら通話を行なうことが出来る。
【０００３】
【発明が解決しようとする課題】
ところで、上述の如き携帯電話機において、十分な芳香拡散機能を発揮させるためには、芳香拡散源としては、出来るだけ表面積の大きなものを具備する必要がある。
しかしながら、近年、携帯電話機は小型化の一途をたどっているため、表面積の大きな芳香拡散源の設置スペースを十分に確保することが困難な問題がある。又、芳香拡散源の表面積を拡大して、該表面を常時外部に露出させた状態で携帯電話機に取り付けた場合、該芳香拡散源の芳香拡散機能は短期間に消費されて、頻繁に芳香拡散源を交換せねばならない問題がある。
【０００４】
そこで本発明の目的は、芳香拡散源の芳香拡散機能を高く維持したまま、その小型化を図ることが出来ると共に、芳香拡散機能を長期間に亘って持続させることが出来る携帯電話機を提供することである。
【０００５】
【課題を解決する為の手段】
本発明に係る携帯電話機は、ケーシング(１)の内部に、モータ(41)の回転軸に偏心荷重(42)を取り付けて構成される振動発生器(４)を配備して、該振動発生器(４)の動作によって着信を報知する機能を有しており、振動発生器(４)の偏心荷重(42)には、芳香部材(６)が着脱可能に取り付けられている。又、ケーシング(１)には、芳香部材(６)を露出させるための窓(13)が開設され、該窓(13)には、１或いは複数の小孔(51)を開設した蓋(５)が着脱可能に取り付けられている。
【０００６】
上記本発明の携帯電話機においては、着信があったとき、振動発生器(４)のモータ(41)が駆動されて、偏心荷重(42)が回転し、これに伴ってケーシング(１)が振動することになる。これによって、使用者に着信が報知される。
又、偏心荷重(42)の回転に伴って、芳香部材(６)が回転し、該芳香部材(６)の表面と周囲の空気との間に相対移動が生じることなる。この結果、芳香部材(６)からは、十分に芳香が発生して、該芳香は、蓋(５)の小孔(51)から前方へ拡散することになる。この結果、使用者は、快い香りを楽しみながら、通話を行なうことが出来る。
【０００７】
その後、振動発生器(４)の動作が停止して、芳香部材(６)の回転が停止した状態では、芳香部材(６)の表面と周囲の空気との間に相対移動はなく、芳香部材(６)の芳香拡散機能は低下することになる。
芳香部材(６)の芳香拡散機能が寿命に至ったときは、ケーシング(１)から蓋(５)を取り外し、ケーシング(１)の窓(13)を通じて、新しい芳香部材(６)と交換し、或いは芳香部材(６)に芳香剤を補充した後、ケーシング(１)の窓(13)に蓋(５)を取り付ければよい。
【０００８】
具体的構成において、芳香部材(６)には、振動発生器(４)の偏心荷重(42)が嵌入する凹部(61)が形成されている。
該具体的構成によれば、芳香部材(６)の凹部(61)を振動発生器(４)の偏心荷重(42)から引き抜き、或いは芳香部材(６)の凹部(61)を振動発生器(４)の偏心荷重(42)に押し付ける作業によって、容易に芳香部材(６)の交換を行なうことが出来る。
【０００９】
更に具体的な構成において、芳香部材(６)は、振動発生器(４)の回転軸を中心として半径が周方向に変化する断面形状に形成されている。
該具体的構成によれば、芳香部材(６)が回転することによって、該芳香部材(６)の外周面が周囲の空気をかき乱すため、芳香拡散機能を更に高めることが出来る。
【００１０】
【発明の効果】
本発明に係る携帯電話機によれば、表面積の小さな比較的小型の芳香部材(６)を用いた場合においても、着信時に芳香部材(６)が回転して、芳香拡散機能を高めるので、携帯電話機の小型化と十分な芳香拡散機能の両方を実現することが出来る。又、着信時にのみ、芳香部材(６)の芳香拡散機能が高められ、着信待ち受け状態では、芳香部材(６)の芳香拡散機能が抑えられているので、長期間に亘って芳香拡散機能を持続させることが出来る。
【００１１】
【発明の実施の形態】
以下、本発明の実施の形態につき、図面に沿って具体的に説明する。
本発明に係る携帯電話機は、図１に示す如く、上半ケース部(11)及び下半ケース部(12)からなるケーシング(１)の上部にアンテナ(10)を突設しており、ケーシング表面には、複数の操作キー(２)とディスプレイ(３)が配備されている。
【００１２】
ケーシング(１)の内部には、着信を報知するために振動発生器(４)が配備されている。振動発生器(４)は、図３に示す如くモータ(41)の出力軸に偏心荷重(42)を取り付けて構成されており、着信時には、モータ(41)が駆動されて、偏心荷重(42)が回転し、これによってケーシング(１)に振動が与えられる。
【００１３】
振動発生器(４)の偏心荷重(42)には、例えば多孔質材に香水やアロマオイル等の芳香剤を浸透させた芳香部材(６)が取り付けられる。芳香部材(６)は、振動発生器(４)の回転軸と同軸の円筒状を呈し、振動発生器(４)の偏心荷重(42)が嵌入すべき凹部(61)が形成されている。
【００１４】
図２に示す如く、ケーシング(１)の上半ケース部(11)には、振動発生器(４)に取り付けられた芳香部材(６)を露出させるための窓(13)が開設されており、該窓(13)には、複数の小孔(51)を有する蓋(５)が着脱可能に取り付けられている。
【００１５】
上記本発明の携帯電話機においては、着信があると、振動発生器(４)の動作に伴って芳香部材(６)が回転し、芳香部材(６)の外周面と周囲の空気との間に相対移動が生じる。又、ケーシング(１)の振動に伴って、芳香部材(６)も振動することになる。この結果、芳香部材(６)からは、十分な芳香が発生し、該芳香は蓋(５)の小孔(51)を通じて、使用者に向けて拡散される。そして、振動発生器(４)の動作が停止した後も、芳香部材(６)から拡散された芳香は、使用者の鼻の周囲を漂うので、使用者は快い香りを楽しみながら、通話を行なうことが出来る。
【００１６】
又、本発明の携帯電話機においては、着信待ち受け状態にて、芳香部材(６)の回転は停止しているので、芳香部材(６)の外周面と周囲の空気との間に相対移動は生じることなく、芳香部材(６)の芳香拡散機能は抑えられている。従って、芳香部材(６)の小型化を図った場合にも、必要時にのみ芳香部材(６)から十分な芳香が発生するので、芳香部材(６)の寿命は長く維持される。
【００１７】
尚、本発明の各部構成は上記実施の形態に限らず、特許請求の範囲に記載の技術的範囲内で種々の変形が可能である。例えば、芳香部材(６)は断面円形に限らず、図４に示す如く外周面に複数の突条(62)を有する断面星形の芳香部材(６)を用いることも可能であって、これによって芳香部材(６)の回転に伴う芳香拡散機能を更に高めることが出来る。
【図面の簡単な説明】
【図１】本発明に係る携帯電話機の斜視図である。
【図２】該携帯電話機において蓋を取り外した状態の斜視図である。
【図３】振動発生器及び芳香部材の斜視図である。
【図４】芳香部材の他の形状を表わす正面図である。
【符号の説明】
(１)  ケーシング
(13)  窓
(２)  操作キー
(３)  ディスプレイ
(４)  振動発生器
(41)  モータ
(42)  偏心荷重
(５)  蓋
(51)  小孔
(６)  芳香部材
(61)  凹部
(62)  突条
【図１】
0003643780.tif 000002
【図２】
0003643780.tif 000003
【図３】
0003643780.tif 000004
【図４】
0003643780.tif 000005